(57)【特許請求の範囲】
【請求項１】
展示作品の情報を登録するための展示登録機能を備えた展示登録端末と掲載広告の情報を登録するための広告情報登録機能と自治体から住民への通達情報を登録するための通達情報登録機能と作品の採用等の審査を行う催事コンテンツ採用機能を備えた自治体端末とコンテンツを表示させるためのコンテンツ表示機能を備えたディスプレイとサーバとが通信ネットワークを通じて接続された作品展示及び広告システムであって、
前記サーバは、
ディスプレイと、組織と、自治体とをそれぞれが属している地域に対応付けた配置グループ情報を予め登録した配置グループ情報記憶手段と、
開催される催事と前記催事に参加している参加自治体とを対応付けた催事情報を登録した催事情報記憶手段と、
前記展示登録端末から受信した展示登録情報を組織名に対応付けた展示登録コンテンツ情報を登録した展示登録コンテンツ情報記憶手段と、
前記展示登録コンテンツ情報に登録された情報の中で催事において展示が決定したコンテンツ情報のみを催事採用コンテンツ情報として登録した催事採用コンテンツ情報記憶手段と、
前記催事情報に登録された催事を表示されたディスプレイの振り分けを制御するための催事表示制御情報を登録した催事表示制御情報記憶手段と、
前記自治体端末から受信した企業の広告情報を自治体名に対応付けた広告情報を登録した広告情報記憶手段と、
前記自治体端末から受信した通達情報を自治体名に対応付けた通達情報を登録した通達情報記憶手段とを備え、
前記催事表示制御情報を参照して催事名と地域振り分けとディスプレイへの振り分けを取得し、該催事名に基づいて前記催事採用コンテンツ情報を参照してコンテンツを取得し、さらに、該地域振り分けと該ディスプレイの振り分けに基づいて前記配置グループ情報を参照して前記コンテンツを表示させるディスプレイを決定し、前記コンテンツと前記催事名とを前記ディスプレイに対応付けて催事表示コンテンツ情報として催事表示コンテンツ情報記憶手段に登録する処理と、
前記広告情報を参照して情報を取得し、前記掲載ディスプレイに基づいて広告コンテンツを表示させるディスプレイを決定し、前記広告コンテンツと前記ディスプレイとを対応付けて広告表示コンテンツ情報として広告表示コンテンツ情報記憶手段に登録する処理と、
前記通達情報を参照して情報を取得し、前記掲載ディスプレイに基づいて通達コンテンツを表示させるディスプレイを決定し、前記通達コンテンツと前記ディスプレイとを対応付けて通達表示コンテンツ情報として通達表示コンテンツ情報記憶手段に登録する処理とを行う表示振り分け手段を有することを特徴とする作品展示及び広告システム。
【請求項２】
前記ディスプレイは、
展示作品を表示するための展示表示領域と、企業の広告を表示するための広告表示領域と、自治体からの通達を表示するための通達表示領域とを有し、
前記催事表示コンテンツ情報を参照してディスプレイに基づき催事名とコンテンツを取得し、前記催事名ごとに分類して前記コンテンツを展示表示領域に表示する手段と、
前記コンテンツの数が予め設定された一度に表示可能な数を超えた場合、予め設定された時間ごとに表示させるコンテンツを変更して表示する手段と、
前記催事名が複数存在する場合、予め設定された時間ごとに表示させる催事を変更して表示する手段と、
前記広告表示コンテンツ情報を参照して広告コンテンツを取得し、前記広告コンテンツを広告表示領域に表示する手段と、
前記通達表示コンテンツ情報を参照して通達コンテンツを取得し、前記通達コンテンツを通達表示領域に表示する手段とを備えることを特徴とする請求項１に記載の作品展示及び広告システム。
【発明の詳細な説明】
【技術分野】
【０００１】
本発明は、自治体などによる作品展示及び広告システムに関する。
【背景技術】
【０００２】
自治体などが主催して行う催事の一つとして、学校生徒や一般市民から作品を募集して行うコンクールがある。このようなコンクールに出品された作品やコンクールにおける入賞作品は、自治体の庁舎に一定期間展示され、庁舎を訪れる人に公開される。
一般的に、作品を公開する際の手段として、各庁舎に設けられた掲示板に作品を画鋲やテープ等により貼り付けたり、また、作品展示台を設け、そこに作品を並べて展示するといった方法がとられている。
【０００３】
しかしながら、このような作品自身を直に展示する方法では、一カ所でしか作品の展示を行うことができないため、広域で複数の庁舎を有する自治体などでは中央庁舎のみでの展示となり、他庁舎においては公開された作品を目にする機会がほとんどないといった問題があった。また、展示する際に使用される画鋲やテープ等により作品を傷つけてしまったり、不慮の事故等により作品を破損してしまうといった問題があった。
【０００４】
このような問題を解決するため、自治体が有する各庁舎にディスプレイを複数台設置し、それらを通信ネットワークを介してＰＣ端末と連携したシステムを利用しての作品展示方法が考えられる。
【０００５】
上記システムとしては、例えば、駅や病院、銀行の構内等の簡易的な電子案内板として、建物の入口に液晶ディスプレイ等の表示装置を設置することで、来店者等への情報案内を表示するシステムであるインフォメーションボードが上げられる。
また一方で、特許文献１では、駅前等に設置された大型ディスプレイと広告者がインターネットを介して接続されたサーバと、大型ディスプレイの設置場所データを記憶し、広告を大型ディスプレイに表示及び情報ホームページに掲載させるサーバとを備える広告情報システムが提案されている。
【特許文献１】特開２００２−１５０１２８号公報
【発明の開示】
【発明が解決しようとする課題】
【０００６】
しかし、簡易的な電子案内板としてのインフォメーションボードでは、人目を引くための趣向がないため、庁舎内のロビーなどで活用するには不向きであるといった問題がある。また、大型のディスプレイ装置を使用したシステムを自治体が独自で維持運営するには、コスト面から困難であるといった問題がある。
【０００７】
本発明は、以上の問題点に鑑みなされたもので、自治体などに展示される作品をデジタル化してディスプレイ等の表示装置に表示することで作品を傷つけず、また、より多くの人に作品を公開することを可能とし、さらに、ディスプレイ等の表示装置に広告表示領域と通達表示領域を設けることで、自治体の財産であるシステムを有効活用し、通達表示の掲示板として、また、新たな財源を確保する手段として利用可能とする作品展示及び広告システムを提供することを目的とする。
【０００８】
上記目的を達成するため、本発明は以下の構成を提供する。
展示作品の情報を登録するための展示登録機能を備えた展示登録端末と掲載広告の情報を登録するための広告情報登録機能と自治体から住民への通達情報を登録するための通達情報登録機能と作品の採用等の審査を行う催事コンテンツ採用機能を備えた自治体端末とコンテンツを表示させるためのコンテンツ表示機能を備えたディスプレイとサーバとが通信ネットワークを通じて接続された作品展示及び広告システムであって、前記サーバは、ディスプレイと、組織と、自治体とをそれぞれが属している地域に対応付けた配置グループ情報を予め登録した配置グループ情報記憶手段と、開催される催事と前記催事に参加している参加自治体とを対応付けた催事情報を登録した催事情報記憶手段と、前記展示登録端末から受信した展示登録情報を組織名に対応付けた展示登録コンテンツ情報を登録した展示登録コンテンツ情報記憶手段と、前記展示登録コンテンツ情報に登録された情報の中で催事において展示が決定したコンテンツ情報のみを催事採用コンテンツ情報として登録した催事採用コンテンツ情報記憶手段と、前記催事情報に登録された催事を表示されたディスプレイへの振り分けを制御するための催事表示制御情報を登録した催事表示制御情報記憶手段と、前記自治体端末から受信した企業の広告情報を自治体名に対応付けた広告情報を登録した広告情報記憶手段と、前記自治体端末から受信した通達情報を自治体名に対応付けた通達情報を登録した通達情報記憶手段とを備え、前記催事表示制御情報を参照して催事名と地域振り分けとディスプレイの振り分けを取得し、該催事名に基づいて前記催事採用コンテンツ情報を参照してコンテンツを取得し、さらに、該地域振り分けと該ディスプレイの振り分けに基づいて前記配置グループ情報を参照して前記コンテンツを表示させるディスプレイを決定し、前記コンテンツと前記催事名とを前記ディスプレイに対応付けて催事表示コンテンツ情報として催事表示コンテンツ情報記憶手段に登録する処理と、前記広告情報を参照して情報を取得し、前記掲載ディスプレイに基づいて広告コンテンツを表示させるディスプレイを決定し、前記広告コンテンツと前記ディスプレイとを対応付けて広告表示コンテンツ情報として広告表示コンテンツ情報記憶手段に登録する処理と、前記通達情報を参照して情報を取得し、前記掲載ディスプレイに基づいて通達コンテンツを表示させるディスプレイを決定し、前記通達コンテンツと前記ディスプレイとを対応付けて通達表示コンテンツ情報として通達表示コンテンツ情報記憶手段に登録する処理とを行う表示振り分け手段を有することを特徴とする。
【０００９】
請求項２に係る発明は、請求項１に記載の作品展示及び広告システムであって、前記ディスプレイは、展示作品を表示するための展示表示領域と、企業の広告を表示するための広告表示領域と、自治体からの通達を表示するための通達表示領域とを有し、前記催事表示コンテンツ情報を参照してディスプレイに基づき催事名とコンテンツを取得し、前記催事名ごとに分類して前記コンテンツを展示表示領域に表示する手段と、前記コンテンツの数が予め設定された一度に表示可能な数を超えた場合、予め設定された時間ごとに表示させるコンテンツを変更して表示する手段と、前記催事名が複数存在する場合、予め設定された時間ごとに表示させる催事を変更して表示する手段と、前記広告表示コンテンツ情報を参照して広告コンテンツを取得し、前記広告コンテンツを広告表示領域に表示する手段と、前記通達表示コンテンツ情報を参照して通達コンテンツを取得し、前記通達コンテンツを通達表示領域に表示する手段とを備えることを特徴とする。
【発明の効果】
【００１０】
本発明の作品展示及び広告システムによれば、次のような効果がある。
自治体などに展示される作品をデジタル化してディスプレイ等の表示装置に表示することで作品を傷つけず展示することを可能とし、作品を傷つけないために費やされる労力や作品の運搬及び返却のために費やされる労力を軽減することが可能となる。また、一カ所ではなく複数カ所に同じ作品を展示することが可能となるので、より多くの人に作品を公開することが可能となる。
【００１１】
ここで、近年、多くの自治体ではインターネット上で公開されている自治体のウェッブサイト上に企業等のバナー広告を掲載することで、自治体自身で所有している財産を有効活用し、新たな財源を確保するとともに、公共性を活用した観光振興や地域産業の活性化支援等を目的とした動きが活発になってきている。このような現状を考慮し、ディスプレイ等の表示装置に作品展示領域以外に広告表示領域と通達表示領域を設けることで、自治体の財産であるシステムをさらに有効活用し、通達表示の掲示板として、また、広告収入という財源を確保する手段として利用することを可能とする。また、インターネット上での広域広告とは違い、庁舎を訪れる人向けの狭域広告として地域地場の商店等をターゲットにした地域密着型の広告媒体としての利用を可能とする。
【発明を実施するための最良の形態】
【００１２】
以下、本発明を適用した作品展示及び広告システムの一実施の形態について図を参照し説明する。なお、同一の構成要素については、同一の参照番号を付し、説明を省略する。
図１は、本発明の一実施例を示すシステム構成図である。展示登録機能１０４を備えた展示登録端末１０２と広告情報登録機能１０８と通達情報登録機能１０９と催事採用コンテンツ機能１１０を備えた自治体端末１０５とコンテンツを表示させるためのコンテンツ表示機能を備えたディスプレイ１２６とサーバ１１１とが通信ネットワークを通じて接続されている。
【００１３】
展示登録端末１０２と自治体端末１０６及びサーバ１１１は、それぞれ適宜のコンピュータを用いて実施され、本システムの処理機能を実施可能とするプログラムをハードディスク等の適宜の記憶媒体に格納している。また、各処理機能は、当該コンピュータのＣＰＵにより実行される。
【００１４】
展示登録端末１０２は、学校や公民館、生涯学習センター、カルチャーセンター等１００の施設に設置され、予め各施設１００ごとに設定された組織識別子１０３と、例えば絵画や写真、書、陶芸等の作品をデジタルコンテンツ化１０１しサーバ１１１の展示登録コンテンツ情報１１４への登録を行うための展示登録機能１０４とを備えている。
【００１５】
自治体登録端末１０６は、各自治体１０５に設置され、予め各自治体ごとに設定された自治体識別子１０７と、企業等から依頼された掲載広告の情報を登録するための広告情報登録機能１０８と各自治体１０６から住民への通達情報を登録するための通達情報登録機能１０９と催事に応募された作品の採用等の審査を行うための催事コンテンツ採用機能１１０とを備えている。
【００１６】
ここで、展示登録端末１０２と自治体と自治体登録端末１０６に予め設定されている各識別子とは、例えば「Ｋ１２３」、「１２３４５６７８９」、「学校１」、「○○市」のように数字又はアルファベット又は記号又は文字等で構成された符号を用い、重複しないように設定されている。これを各端末からサーバ１１１へ情報を送信する際に一緒に送信することで、サーバ１１１において各端末の所在又はユーザを識別することが可能となる。
【００１７】
サーバ１１１は、配置グループ情報１１２と、催事情報１１３と、展示登録コンテンツ情報１１４と、催事採用コンテンツ情報１１７と、催事表示制御情報１１６と、広告情報１１９と、通達情報１１８と、広告表示コンテンツ情報１２０と、通達表示コンテンツ情報１２１と、ディスプレイ１２６への表示の振り分け処理を行うための表示振り分け機能１２２と、各ディスプレイ１２６への情報を送信するための情報送信機能１２３とを備えている。
【００１８】
また、各自治体庁舎１２４又は自治体庁舎ｎ１２５（分舎や出張所、公民館などの公共施設等）には数台のディスプレイ１２６及びディスプレイｎ１３３が設置されており、各ディスプレイ１２６又はディスプレイｎ１３３は、展示作品を表示するための展示表示領域１２８と、自治体１０５からの通達を表示するための通達表示領域１２９と、企業の広告を表示するための広告表示領域１３０とを有し、予めディスプレイ１２６又はディスプレイｎ１３３ごとに設定された個別識別子１３１と、サーバ１１１からの表示情報を受信するための情報受信機能１３２とを備えている。
【００１９】
ディスプレイ１２６又はディスプレイｎ１３３に設定される個別識別子１３１は、上述の展示登録端末１０２と自治体と自治体登録端末１０６に設定されている各識別子と同様に設定される。これを用いることで、サーバ１１１においてディスプレイ１２６又はディスプレイｎ１３３の識別を可能とする。
【００２０】
ここで、ディスプレイ１２６又はディスプレイｎ１３３には、ブラウン管（ＣＲＴ）、液晶、プラズマ、スクリーン等に投影する形式のプロジェクタ等が考えられ、その中でもより安価で設置可能な液晶ディスプレイを利用したインフォメーションボードが好適であるが、この限りではない。
【００２１】
次に、サーバ１１１が備える各情報に格納されているデータのデータ構造について図を用いて説明する。
図２は、配置グループ情報１１２に格納されているデータのデータ構成の一例を示す図である。配置グループ情報１１２は、ディスプレイ配置情報２０１と組織地域情報２０４と自治体地域情報２０７から成る。
【００２２】
ディスプレイ配置情報２０１は、個別識別子２０２と地域２０３から構成されており、個別識別子２０２を地域２０３に対応付けて、例えば「ディスプレイ１、庁舎Ａ」のように予め登録される。ここで登録される個別識別子２０２は、ディスプレイ１２６又はディスプレイｎ１３３に設定される個別識別子１３１と同様のものであり、地域には自治体の庁舎名が登録される。つまり、このディスプレイ配置情報２０１には、各ディスプレイが何処の地域庁舎に配置されているものであるかが登録される。
【００２３】
組織地域情報２０４は、組織識別子２０５と地域２０６から構成されており、組織識別子２０２を地域２０６に対応付けて、例えば「学校１、庁舎Ａ」のように予め登録される。ここで登録される組織識別子２０５は、上述の展示登録端末１０２に設定される各施設１００が有する組織識別子１０３と同様のものであり、地域２０６には、各施設１００が属している自治体の庁舎名が登録される。つまり、その施設１００が何処の自治体庁舎に属しているかが登録される。
【００２４】
自治体地域情報２０７は、自治体識別子２０８と地域２０９から構成されており、自治体識別子２０８を地域２０９に対応付けて、例えば「○○市、庁舎Ａ・庁舎Ｂ・庁舎Ｃ・庁舎Ｄ」のように予め登録される。ここで登録される自治体識別子２０８は、自治体登録端末１０６に設定される予め各自治体が有する自治体識別子１０７と同様のものであり、地域２０９には、各自治体が有する庁舎名が登録される。これにより、どの自治体にどの庁舎が属しているのかが分かる。
【００２５】
図３は、催事情報１１３に格納されているデータのデータ構成の一例を示す図である。催事情報１１３は、催事識別子３０１と参加自治体３０２より構成されており、開催される催事を特定するための情報である催事識別子３０１と催事に参加が表明されている自治体情報である参加自治体３０２とを対応付けて、例えば、「絵画コンクール、○○市」、「母の日イラスト展、××市」のように登録される。ここで登録される参加自治体３０２は、上述の自治体登録端末１０６に設定される予め各自治体が有する自治体識別子１０７と同様のものである。これにより、どの自治体がどの催事に参加又は関係しているのかが分かる。
【００２６】
図４は、展示登録コンテンツ情報１１４に格納されているデータのデータ構成の一例を示す図である。展示登録コンテンツ情報１１４は、組織識別子４０１とコンテンツ番号４０２と作品本体４０３と作者情報４０４と登録日４０５と催事識別子４０５から構成されている。この展示登録コンテンツ情報１１４には、展示登録端末１０３が有する展示登録機能１０４により展示希望の作品に関する情報である展示登録情報が登録されて各施設１００ごとに設定された組織識別子１０３と共にサーバ１１１に送信され、これらの情報をサーバ１１１が受信すると、受信した展示登録情報に組織識別子１０３と自動的に付されるコンテンツ番号４０２を対応付けて、例えば「学校１、００１、Ｋａｉｇａ１．ｊｐｇ、ｙａｍａｄａＴａｒｏ、２００８／０２／２０、絵画コンクール」のように登録される。これにより、展示登録端末１０３から登録されたデジタル化された展示希望作品であるデジタルコンテンツが展示登録コンテンツ情報１１４に蓄積される。
【００２７】
図５は、催事採用コンテンツ情報１１５に格納されているデータのデータ構成の一例を示す図である。催事採用コンテンツ情報１１５は、催事識別子５０１と作品本体５０２と組織識別子５０３とコンテンツ番号５０４から構成されており、展示登録コンテンツ情報１０３に登録された情報の中で催事において展示が決定したコンテンツ情報のみが登録される。この情報への登録は、自治体端末１０６の催事コンテンツ採用機能１１０により、催事に参加又は主催する自治体によって行われる。
【００２８】
図６は、催事表示制御情報１１６に格納されているデータのデータ構成の一例を示す図である。催事表示制御情報１１６は、自治体識別子６０１と催事識別子６０２と地域振り分け６０３とディスプレイ振り分け６０４と表示期間６０５から構成されており、自治体及び催事ごとに指定され、各庁舎に設置されているディスプレイ１２６又はディスプレイｎ１３３への配信制御情報として使用される。この構成要素のうち、地域振り分け６０３には、自治体内全ての拠点庁舎において統一したコンテンツとなるか、各施設１００が属する地域単位で振り分けるかを指定する区分であり、例えば「全域統一表示」、「地域分割表示」のように登録される。また、ディスプレイ振り分け６０４は、庁舎内に設置されたディスプレイの全てに同じコンテンツを表示するか、或いは、それぞれのディスプレイに平均的にコンテンツを割り振って表示するかを指定する区分であり、例えば「庁舎内振り分け」、「庁舎内統一」のように登録される。
【００２９】
図７は、催事表示コンテンツ情報１１７に格納されているデータのデータ構成の一例を示す図である。催事表示コンテンツ情報１１７は、個別識別子７０１と催事識別子７０２とコンテンツ７０３より構成されており、サーバ１１１の有する表示振り分け機能１２２により各ディスプレイへ表示振り分けが行われ、配信先のディスプレイが有する個別識別子７０１に催事識別子７０２と表示されるコンテンツ７０３を対応付けて登録される。
【００３０】
図８は、広告情報１１８に格納されているデータのデータ構成の一例を示す図である。広告情報１１８は、自治体識別子８０１と広告主８０２とデジタルコンテンツ化された広告本体８０２と掲載期間８０４と掲載ディスプレイ８０５により構成され、掲載依頼のあった企業等の広告とそれに付随する情報が自治体端末１０６の広告情報登録機能１０８により登録される。
【００３１】
図９は、広告表示コンテンツ情報１１９に格納されているデータのデータ構成の一例を示す図である。広告表示コンテンツ情報１１９は、個別識別子９０１と広告コンテンツ９０２から構成されており、サーバ１１１の有する表示振り分け機能１２２により各ディスプレイへの表示振り分けが行われ、配信先のディスプレイが有する個別識別子９０１に表示される広告コンテンツ９０２を対応付けて登録される。ここで表示される広告コンテンツ９０２は、広告情報１１８で登録された広告主８０２と広告本体８０３である。
【００３２】
図１０は、通達情報１２０に格納されているデータのデータ構成の一例を示す図である。通達情報１２０は、自治体識別子１００１と通達１００２と掲載期間１００３と掲載ディスプレイ１００４から構成され、催事情報や連絡事項、選挙等のお知らせなど、自治体から自治体庁舎に訪れる人にお知らせしたい事柄がデジタルコンテンツ化され自治体端末１０５が有する通達情報登録機能１０９により登録される。
【００３３】
図１１は、通達表示コンテンツ情報１２１に格納されているデータのデータ構成の一例を示す図である。通達表示コンテンツ情報１２１は、個別識別子１１０１と通達コンテンツ１１０２から構成されており、サーバ１１１の有する表示振り分け機能１２２により各ディスプレイへの表示振り分けが行われ、配信先のディスプレイが有する個別識別子１１０１に表示される通達コンテンツ１１０２を対応付けて登録される。
【００３４】
続いて、フローチャートを用いて本システムが行う処理の流れについて説明をする。
図１２は、本発明のシステムにおける処理の流れを概略的に示すフローチャートである。まず、各施設ごとに設置された展示登録端末１０２から展示希望作品をデジタルコンテンツ化し、組織識別子と共に展示登録機能１０４に登録する（ステップ１２０１）。登録された情報は、展示登録機能１０４によりサーバ１１１へ送信され、サーバ１１１で受信された情報は展示登録コンテンツ情報１１４へ登録され、蓄積される（１２０２）。催事主催者である自治体は、自治体端末１０５の催事コンテンツ採用機能１１０によりサーバ１１１の展示登録コンテンツ情報１１４に登録され蓄積された情報を参照し、その中で催事において展示が決定したコンテンツ情報のみを抽出し、サーバ１１１の催事採用コンテンツ情報１１７へ登録する（ステップ１２０３）。その後、開催される催事のディスプレイへの表示情報について、サーバ１１１の催事表示制御情報へ登録を行う（ステップ１２０４）。
【００３５】
一方、自治体１０５に対して企業等からの広告掲載の依頼がある（ステップ１２０５）と、依頼を受けた自治体１０５では、掲載希望広告の審査後、自治体端末１０６の備える広告情報登録機能１０８に自治体識別子と共に掲載希望広告を登録する。そして、登録された情報は、広告情報登録機能１０８によりサーバ１１１へ送信され、サーバ１１１で受信された情報は広告情報１１８へ登録される（ステップ１２０６）。
【００３６】
また一方で、自治体１０５が庁舎を訪れる人に対しての連絡事項等の情報を掲載する場合には、自治体端末１０６の備える通達情報登録機能１０８に自治体識別子と共にその情報を登録する。そして、登録された情報は、通達情報登録機能１０８によりサーバ１１１へ送信され、サーバ１１１で受信された情報は通達情報１１８へ登録される（ステップ１２０７）。
【００３７】
次に、サーバ１１１は、これらの登録でそれぞれの情報に蓄積された情報を基に、サーバ１１１の備える表示振り分け機能１２２により、ディスプレイ単位に表示されるコンテンツの振り分けを行い、催事用の作品は、表示催事コンテンツ情報１１７へ登録され、企業広告は、広告表示コンテンツ情報１１９へ登録され、自治体からの通達情報等は、通達表示コンテンツ情報１２１へ登録される（ステップ１２０８）。
【００３８】
そして、サーバ１１１の備える情報送信機能１２３により、表示催事コンテンツ情報１１７と、広告表示コンテンツ情報１１９と、通達表示コンテンツ情報１２１とを基にして、各ディスプレイへの表示情報を送信し、各ディスプレイは、各ディスプレイごとに設定された個別識別子にて表示情報を受信する（ステップ１２０９）。
各ディスプレイにて受信された表示情報をディスプレイの各表示領域に表示し（ステップ１２１０）、処理を終了する。
【００３９】
図１３は、催事表示制御情報１１６の登録における処理の流れを示すフローチャートである。
催事主催者である自治体は、サーバ１１１の催事表示制御情報１１６へ自治体識別子を登録する（ステップ１３０１）。そして、登録する催事を選択し、催事識別子として登録する（ステップ１３０２）。
次に、ディスプレイに表示させるコンテンツの振り分けについて登録する（ステップ１３０３）。施設等が所属する地域ごとに表示させるコンテンツを振り分ける場合には、地域振り分け６０３に「地域分割表示」として登録し（ステップ１３０４）、自治体が管轄する地域全てに統一して表示させる場合には、地域振り分け６０３に「全域統一表示」として登録する（ステップ１３０５）。
【００４０】
また、同じ庁舎内に設置されたディスプレイに表示させるコンテンツの振り分け６０４についても登録する（ステップ１３０６）。庁舎内に設置された全てのディスプレイに同じ内容を表示させる場合には、ディスプレイ振り分け６０４に「庁舎内統一」として登録し（ステップ１３０７）、逆に、庁舎内に設置された全てのディスプレイに違う内容を表示させる場合には、ディスプレイ振り分け６０４に「庁舎振り分け」として登録する（ステップ１３０８）。
その後、作品を展示表示する期間を表示期間に登録し（ステップ１３０９）、処理を終了する。
【００４１】
図１４は、表示振り分け機能１２２における処理の流れを示すフローチャートである。
サーバ１１１は、図１３で登録された催事表示制御情報１１６の表示期間６０５を参照し、参照した時点において表示期間内である情報を取得する（ステップ１４０１）。取得された情報の内催事識別子６０２に基づいて、催事採用コンテンツ情報１１５を参照し、コンテンツ情報を取得する（ステップ１４０２）。さらに、催事識別子６０２に基づいて、催事表示制御情報１１６を参照し、地域振り分け６０３を取得する（ステップ１４０３）。
【００４２】
地域振り分け６０３が「地域分割表示」の場合には、催事採用コンテンツ情報１１５の組織識別子５０３に基づいて、配置グループ情報１１２の組織地域情報２０４を参照し、地域２０６を取得する（ステップ１４０４）。
【００４３】
次に、地域振り分け６０３を取得したときと同様に、催事識別子６０２に基づいて、催事表示制御情報１１６を参照し、ディスプレイ振り分け６０４を取得する（ステップ１４０５）。ディスプレイ振り分け６０４が「庁舎内振り分け」の場合には、ステップ１４０２で取得したコンテンツ全てを地域内のディスプレイ数で除算し、コンテンツの数が各ディスプレイに均等になるように分類する（ステップ１４０６）。そして、各ディスプレイに設定されている個別識別子７０１に分類されたコンテンツ７０３と催事識別子７０２とを対応付けて表示催事コンテンツ情報１１７へ登録する（ステップ１４０７）。
【００４４】
また、ディスプレイ振り分け６０４が「庁舎内統一」の場合には、地域２０６に基づいて、配置グループ情報１１２のディスプレイ配置情報２０１を参照し、地域２０６に該当するディスプレイつまり個別識情報２０２を取得する。そして、この個別識別情報７０１にコンテンツ７０３と催事識別子７０２とを対応付けて表示催事コンテンツ情報１１７へ登録する（ステップ１４０８）。
【００４５】
一方、ステップ１４０３で地域振り分け６０３が「地域内統一」の場合には、地域振り分け６０３を取得したときと同様に、催事識別子６０２に基づいて、催事表示制御情報１１６を参照し、ディスプレイ振り分け６０４を取得する（ステップ１４０９）。ディスプレイ振り分け６０４が「庁舎内振り分け」の場合には、ステップ１４０２で取得したコンテンツ全てを自治体内のディスプレイ数で除算し、コンテンツの数が各ディスプレイに均等になるように分類する（ステップ１４１０）。そして、各ディスプレイに設定されている個別識別子７０１に分類されたコンテンツ７０３と催事識別子７０２とを対応付けて表示催事コンテンツ情報１１７へ登録する（ステップ１４１１）。
【００４６】
また、ディスプレイ振り分け６０４が「庁舎内統一」の場合には、配置グループ情報１１２の自治体地域情報２０７を参照し、自治体識別子に基づいて、自治体が管轄する地域２０９を取得する。そして、取得された地域２０９に基づいて、配置グループ情報１１２のディスプレイ配置情報を参照し、地域２０９に該当するディスプレイつまり個別識情報２０２を取得する。そして、この個別識別情報７０１にコンテンツ７０３と催事識別子７０２とを対応付けて表示催事コンテンツ情報１１７へ登録する（ステップ１４１２）。
【００４７】
続いて、広告情報１１９を参照して情報を取得し、掲載ディスプレイ８０５に基づいて広告コンテンツを表示させるディスプレイを決定し、広告コンテンツ９０２とディスプレイ９０１とを対応付けて広告表示コンテンツ情報１１９に登録する。さらに、通達情報１１８を参照して情報を取得し、掲載ディスプレイに基づいて通達コンテンツを表示させるディスプレイを決定し、通達コンテンツ１１０２とディスプレイ１１０１とを対応付けて登録し（ステップ１４１３）、処理を終了する。
【００４８】
図１５は、ディスプレイの表示における処理の流れを示すフローチャートである。
ディスプレイは、サーバ１１１の催事表示コンテンツ情報１１７を参照して、ディスプレイに設定された個別識別子７０１に基づき催事識別子７０２とコンテンツ７０３を取得する（ステップ１５０１）。そして、取得されたコンテンツ７０３を催事識別子７０２ごとに分類して展示表示領域１２８に表示する（ステップ１５０２）。
【００４９】
コンテンツ７０３の数が予め設定された一度に表示可能な数を超えた場合、予め設定された時間ごとにコンテンツを切り替えて表示する（ステップ１５０４）。また、予め設定された一度に表示可能な数を超えていない場合には、ステップ１５０５へ遷移する。
【００５０】
さらに、異なる催事識別子７０２が複数存在する場合には、予め設定された時間ごとに表示させる催事を切り替えて表示する（ステップ１５０６）。また、異なる催事識別子７０２が存在しない場合には、ステップ１５０７へ遷移する。
【００５１】
続いて、広告表示コンテンツ情報１１９を参照して、ディスプレイに設定された個別識別子９０１に基づき広告コンテンツ９０２を取得する。そして、取得された広告コンテンツ９０２を広告表示領域１３０に予め設定された期間ごとに表示する（ステップ１５０７）。
【００５２】
また、通達表示コンテンツ情報１２１を参照して、ディスプレイに設定された個別識別子１１０１に基づき通達コンテンツ１１０２を取得する。そして、取得された通達コンテンツ１１０２を通達表示領域１２９に予め設定された期間ごとに表示する（ステップ１５０８）。
その後、庁舎の閉館時間など、ディスプレイ表示の終了時間に到達したところで処理を終了する。終了時間に到達していなければ、ステップ１５０１へ遷移し、処理を繰り返す（１５０９）。
【００５３】
本発明の実施例によれば、表示装置であるディスプレイへの表示による一方的な情報の発信に限られている。しかし、例えば、タッチパネル付きのディスプレイ等を利用することで、見たい作品を選定したり、また、作品の検索機能を設けることが可能であり、インタラクディブな展示版として、容易な拡張が期待できる。
【図面の簡単な説明】
【００５４】
【図１】本発明の一実施例を示すシステム構成図である。
【図２】配置グループ情報に格納されているデータのデータ構成の一例を示す図である。
【図３】催事情報に格納されているデータのデータ構成の一例を示す図である。
【図４】展示登録コンテンツ情報に格納されているデータのデータ構成の一例を示す図である。
【図５】催事採用コンテンツ情報に格納されているデータのデータ構成の一例を示す図である。
【図６】催事表示制御情報に格納されているデータのデータ構成の一例を示す図である。
【図７】催事表示コンテンツ情報に格納されているデータのデータ構成の一例を示す図である。
【図８】広告情報に格納されているデータのデータ構成の一例を示す図である。
【図９】広告表示コンテンツ情報に格納されているデータのデータ構成の一例を示す図である。
【図１０】通達情報に格納されているデータのデータ構成の一例を示す図である。
【図１１】通達表示コンテンツ情報に格納されているデータのデータ構成の一例を示す図である。
【図１２】本発明のシステムにおける処理の流れを概略的に示すフローチャートである。
【図１３】催事表示制御情報の登録における処理の流れを示すフローチャートである。
【図１４】表示振り分け機能における処理の流れを示すフローチャートである。
【図１５】ディスプレイの表示における処理の流れを示すフローチャートである。
【符号の説明】
【００５５】
１０１  学校等
１０２  生徒作品などのデジタルコンテンツ
１０３  展示登録端末
１０４  組織識別子
１０５  展示登録機能
１０６  自治体
１０７  自治体端末
１０８  自治体識別子
１０９  広告情報登録機能
１１０  通達情報登録機能
１１１  サーバ
１１２  配置グループ情報
１１３  催事情報
１１４  展示登録コンテンツ情報
１１５  催事採用コンテンツ情報
１１６  催事表示制御情報
１１７  催事表示コンテンツ情報
１１８  通達情報
１１９  広告情報
１２０  広告表示コンテンツ情報
１２１  通達表示コンテンツ情報
１２２  表示振り分け機能
１２３  情報送信機能
１２４  自治体庁舎
１２５  自治体庁舎ｎ
１２６  インフォメーションボード
１２７  コンテンツ表示機能
１２８  展示表示領域
１２９  通達表示領域
１３０  広告表示領域
１３１  個別識別子
１３２  情報受信機能
１３３  インフォメーションボードｎ
【図１】
0004977074.tif 000002
【図２】
0004977074.tif 000003
【図３】
0004977074.tif 000004
【図４】
0004977074.tif 000005
【図５】
0004977074.tif 000006
【図６】
0004977074.tif 000007
【図７】
0004977074.tif 000008
【図８】
0004977074.tif 000009
【図９】
0004977074.tif 000010
【図１０】
0004977074.tif 000011
【図１１】
0004977074.tif 000012
【図１２】
0004977074.tif 000013
【図１３】
0004977074.tif 000014
【図１４】
0004977074.tif 000015
【図１５】
0004977074.tif 000016